(57)【要約】【課題】  携帯電話機が予備電池を有して紛失後にサーバ装置から特殊電波を受けて予備電池をオンしてデータ送信し、サーバ装置が必要なデータを取得可能とすること。【解決手段】  携帯電話機１０は、主処理部１１と主電池１６と予備電池１７とサーバ装置２０から送信される自身宛の特定電波を検知すると予備電池１７から主処理部１１への電力供給を開始して主処理部１１に特定電波の指示内容の実行を起動する特定電波検知部１４とを有し、指示内容を実行して必要な情報をサーバ装置２０に返送する、サーバ装置２０は、ユーザを認証するための情報とサービス対象となる携帯電話機１０を特定するための識別情報とを保持するユーザ情報部２２を有し、ユーザ端末３０からの要求を受けるとユーザ情報部２２を参照して特定電波を作成して対象の携帯電話機１０に送信し、指示内容に従ったデータを携帯電話機１０から取得する。【選択図】      図１
2005086647.tif 000002
【特許請求の範囲】
【請求項１】
紛失した携帯機器と、特定の通信により前記携帯機器を起動してデータを取得するサーバ装置と、インターネットにより前記サーバ装置と接続するユーザ端末とを有するデータ取得システムであって、
前記携帯機器は、通常電力を供給する主電池と通常電力を供給しない予備電池とを有し、前記サーバ装置から送信される特定電波を受信すると前記予備電池を使用して指示内容を実行して情報を前記サーバに返送し、
前記サーバ装置は、前記ユーザ端末からの要求を受けて指定された携帯機器へ特定電波を送って情報を取得することを特徴とするデータ取得システム。
【請求項２】
紛失した携帯機器と、特定の通信により前記携帯機器を起動してデータを取得するサーバ装置と、インターネットにより前記サーバ装置と接続するユーザ端末とを有するデータ取得システムであって、
前記携帯機器は、携帯機器の処理を実行する主処理部と、通常電力を供給する主電池と、通常電力を供給しない予備電池と、前記サーバ装置から送信される自身宛の特定電波を検知すると前記予備電池から前記主処理部への電力供給を開始して前記主処理部に特定電波の指示内容に実行を起動する特定電波検知部とを有し、前記主処理部は特定電波検知部の指示内容を実行して必要な情報を前記サーバ装置に返送し、
前記サーバ装置は、ユーザを認証するための情報とサービス対象となる前記携帯機器を特定するための識別情報とを保持するユーザ情報部を有し、前記ユーザ端末からの要求を受けると前記ユーザ情報部を参照してユーザ認証を行い、認証が成功すると前記ユーザ情報部に保持される前記携帯機器の識別情報と前記ユーザ端末から要求された指示内容から前記特定電波を作成して対象の携帯機器に送信し、指示内容に従った情報を前記携帯機器から取得することを特徴とするデータ取得システム。
【請求項３】
前記携帯機器は、ＧＰＳ（global positioning system）衛星からの電波を受信して自身の位置情報を算出するＧＰＳ回路を有し、前記指示内容が位置情報取得要求の場合には前記ＧＰＳ回路で算出した位置情報を前記サーバ装置に返送し、
前記サーバ装置は、地図情報を保持する地図情報部を有し、前記端末機器から前記位置情報が返送されるとその位置情報を該当する地図情報に示すデータを作成して位置情報取得要求した前記ユーザ端末に返送することを特徴とする請求項１又は２のデータ取得システム。
【請求項４】
前記指示内容がデータ取得要求の場合、前記端末機器はデータ取得要求の特定電波を受けると携帯機器に保持するデータを読み出して前記サーバ装置に返送することを特徴とする請求項１、２、又は３のデータ取得システム。
【請求項５】
前記携帯機器は、通話機能を有する携帯電話機、或いはＰＤＡ（personal digital assistant）であることを特徴とする請求項１、２、３、又は４のデータ取得システム。
【請求項６】
前記携帯機器と前記サーバ装置との間の通信を複数の中継局を介して実行することを特徴とする請求項１、２、３、又は４のデータ取得システム。
【請求項７】
通常電力を供給する主電池と通常は電力を供給しない予備電池とを有し、紛失の際の情報取得の処理を実行するサーバ装置から送信される特定電波を受信すると前記予備電池の電力を使用してその指示内容を実行して情報を前記サーバに返送することを特徴とする携帯機器。
【請求項８】
携帯機器の通常処理を実行する主処理部と、通常電力を供給する主電池と、通常電力を供給しない予備電池と、紛失の際の情報取得の処理を実行するサーバ装置から送信される自身宛の特定電波を検知すると前記予備電池から前記主処理部への電力供給を開始して前記主処理部に特定電波の指示内容に実行を起動する特定電波検知部とを有し、前記主処理部は前記特定電波検知部の指示内容を実行して必要な情報を前記サーバ装置に返送することを特徴とする携帯機器。
【請求項９】
ＧＰＳ衛星からの電波を受信して自身の位置情報を算出するＧＰＳ回路を有し、前記指示内容が位置情報取得要求の場合には前記ＧＰＳ回路で算出した位置情報を前記サーバ装置に返送することを特徴とする請求項７又は８の携帯機器。
【請求項１０】
携帯機器の紛失の際の情報取得の処理を実行するサーバ装置から送信される自身宛の特定電波を携帯機器が検知すると、通常は電力供給しない予備電池の電力を使用してその指示内容を実行して情報を前記サーバに返送することを特徴とするデータ取得方法。
【請求項１１】
携帯機器の紛失の際の情報取得の処理を実行するサーバ装置から送信される自身宛の特定電波を検知すると、携帯機器は通常は電力供給しない予備電池から前記携帯機器の通常処理を実行する主処理部への電力供給を開始して前記主処理部に特定電波の指示内容の実行を起動し、前記主処理部は前記指示内容を実行して必要な情報を前記サーバ装置に返送することを特徴とするデータ取得方法。
【請求項１２】
前記指示内容が位置情報取得要求の場合、前記携帯機器はＧＰＳ衛星からの電波を受信して自身の位置情報を算出した位置情報を前記サーバ装置に返送することを特徴とする請求項１０又は１１のデータ取得方法。
【請求項１３】
サーバ装置から送信される自身宛の特定電波を検知する手順と、通常は電力供給しない予備電池の電力を使用してその指示内容を実行して情報を前記サーバに返送する手順とをコンピュータに実行させることを特徴とするプログラム。
【請求項１４】
携帯機器の紛失の際の情報取得の処理を実行するサーバ装置から送信される自身宛の特定電波を検知する手順と、通常は電力供給しない予備電池から通常処理を実行する主処理部への電力供給を開始して前記主処理部に特定電波の指示内容の実行を起動する手順と、前記主処理部が前記指示内容を実行して必要な情報を前記サーバ装置に返送する手順とをコンピュータに実行させることを特徴とするプログラム。
【請求項１５】
前記指示内容が位置情報取得要求の場合、ＧＰＳ衛星からの電波を受信して自身の位置情報を算出した位置情報を前記サーバ装置に返送する手順をコンピュータに実行させることを特徴とする請求項１３又は１４のプログラム。
【発明の詳細な説明】
【技術分野】
【０００１】
本発明は携帯機器からのデータ取得システム、携帯機器、データ取得方法、及びプログラムに関し、特に、紛失した携帯電話機のような携帯機器が保持するデータを取得する技術に関する。
【背景技術】
【０００２】
携帯電話機のような携帯機器を紛失した際に悪用を避けるため設定内容を消去したり、復旧するために保持内容を取得してバックアップしたりする技術が知られている。例えば特開２０００−２７０３７６号公報では、紛失前に予め保守センタが携帯電話機からデータを取得してバックアップをしておき、紛失後にユーザからバックアップデータの保存要求を受けて保存サービスを行う技術が開示されている。
【０００３】
【特許文献１】特開２０００−２７０３７６号公報
【発明の開示】
【発明が解決しようとする課題】
【０００４】
従来の技術では、紛失前に携帯機器のバックアップを行うため、携帯機器の紛失時の最新データを取得することができないという問題があった。
【０００５】
本発明の目的は、携帯機器が予備電池を備えて紛失後に特殊電波を受けると予備電池をオンして必要なデータを取得する動作を実行することにより、携帯機器を紛失した後でも携帯機器にアクセスしてデータを取得することを可能としたデータ取得システム、携帯機器、データ取得方法、及びプログラムを提供することにある。
【課題を解決するための手段】
【０００６】
本発明の第１のデータ取得システムは、紛失した携帯機器と、特定の通信により前記携帯機器を起動してデータを取得するサーバ装置と、インターネットにより前記サーバ装置と接続するユーザ端末とを有するデータ取得システムであって、
前記携帯機器は、通常電力を供給する主電池と通常電力を供給しない予備電池とを有し、前記サーバ装置から送信される特定電波を受信すると前記予備電池を使用して指示内容を実行して情報を前記サーバに返送し、
前記サーバ装置は、前記ユーザ端末からの要求を受けて指定された携帯機器へ特定電波を送って情報を取得することを特徴とする。
【０００７】
本発明の第２のデータ取得システムは、紛失した携帯機器と、特定の通信により前記携帯機器を起動してデータを取得するサーバ装置と、インターネットにより前記サーバ装置と接続するユーザ端末とを有するデータ取得システムであって、
前記携帯機器は、携帯機器の処理を実行する主処理部と、通常電力を供給する主電池と、通常電力を供給しない予備電池と、前記サーバ装置から送信される自身宛の特定電波を検知すると前記予備電池から前記主処理部への電力供給を開始して前記主処理部に特定電波の指示内容に実行を起動する特定電波検知部とを有し、前記主処理部は特定電波検知部の指示内容を実行して必要な情報を前記サーバ装置に返送し、
前記サーバ装置は、ユーザを認証するための情報とサービス対象となる前記携帯機器を特定するための識別情報とを保持するユーザ情報部を有し、前記ユーザ端末からの要求を受けると前記ユーザ情報部を参照してユーザ認証を行い、認証が成功すると前記ユーザ情報部に保持される前記携帯機器の識別情報と前記ユーザ端末から要求された指示内容から前記特定電波を作成して対象の携帯機器に送信し、指示内容に従った情報を前記携帯機器から取得することを特徴とする。
【０００８】
本発明の第３のデータ取得システムは、本発明の第１又は第２のデータ取得システムにおいて、前記携帯機器は、ＧＰＳ（global positioning system）衛星からの電波を受信して自身の位置情報を算出するＧＰＳ回路を有し、前記指示内容が位置情報取得要求の場合には前記ＧＰＳ回路で算出した位置情報を前記サーバ装置に返送し、
前記サーバ装置は、地図情報を保持する地図情報部を有し、前記端末機器から前記位置情報が返送されるとその位置情報を該当する地図情報に示すデータを作成して位置情報取得要求した前記ユーザ端末に返送することを特徴とする。
【０００９】
本発明の第４のデータ取得システムは、本発明の第１、第２、又は第３のデータ取得システムにおいて、前記指示内容がデータ取得要求の場合、前記端末機器はデータ取得要求の特定電波を受けると携帯機器に保持するデータを読み出して前記サーバ装置に返送することを特徴とする。
【００１０】
本発明の第５のデータ取得システムは、本発明の第１、第２、第３、又は第４のデータ取得システムにおいて、前記携帯機器は、通話機能を有する携帯電話機、或いはＰＤＡ（personal digital assistant）であることを特徴とする。
【００１１】
本発明の第６のデータ取得システムは、本発明の第１、第２、第３、又は第４のデータ取得システムにおいて、前記携帯機器と前記サーバ装置との間の通信を複数の中継局を介して実行することを特徴とする。
【００１２】
本発明の第１の携帯機器は、通常電力を供給する主電池と通常は電力を供給しない予備電池とを有し、紛失の際の情報取得の処理を実行するサーバ装置から送信される特定電波を受信すると前記予備電池の電力を使用してその指示内容を実行して情報を前記サーバに返送することを特徴とする。
【００１３】
本発明の第２の携帯機器は、携帯機器の通常処理を実行する主処理部と、通常電力を供給する主電池と、通常電力を供給しない予備電池と、紛失の際の情報取得の処理を実行するサーバ装置から送信される自身宛の特定電波を検知すると前記予備電池から前記主処理部への電力供給を開始して前記主処理部に特定電波の指示内容に実行を起動する特定電波検知部とを有し、前記主処理部は前記特定電波検知部の指示内容を実行して必要な情報を前記サーバ装置に返送することを特徴とする。
【００１４】
本発明の第３の携帯機器は、本発明の第１又は第２の携帯機器において、ＧＰＳ衛星からの電波を受信して自身の位置情報を算出するＧＰＳ回路を有し、前記指示内容が位置情報取得要求の場合には前記ＧＰＳ回路で算出した位置情報を前記サーバ装置に返送することを特徴とする。
【００１５】
本発明の第１のデータ取得方法は、携帯機器の紛失の際の情報取得の処理を実行するサーバ装置から送信される自身宛の特定電波を携帯機器が検知すると、通常は電力供給しない予備電池の電力を使用してその指示内容を実行して情報を前記サーバに返送することを特徴とする。
【００１６】
本発明の第２のデータ取得方法は、携帯機器の紛失の際の情報取得の処理を実行するサーバ装置から送信される自身宛の特定電波を検知すると、携帯機器は通常は電力供給しない予備電池から前記携帯機器の通常処理を実行する主処理部への電力供給を開始して前記主処理部に特定電波の指示内容の実行を起動し、前記主処理部は前記指示内容を実行して必要な情報を前記サーバ装置に返送することを特徴とする。
【００１７】
本発明の第３のデータ取得方法は、本発明の第１又は第２のデータ取得方法において、前記指示内容が位置情報取得要求の場合、前記携帯機器はＧＰＳ衛星からの電波を受信して自身の位置情報を算出した位置情報を前記サーバ装置に返送することを特徴とする。
【００１８】
本発明の第１のプログラムは、サーバ装置から送信される自身宛の特定電波を検知する手順と、通常は電力供給しない予備電池の電力を使用してその指示内容を実行して情報を前記サーバに返送する手順とをコンピュータに実行させることを特徴とする。
【００１９】
本発明の第２のプログラムは、携帯機器の紛失の際の情報取得の処理を実行するサーバ装置から送信される自身宛の特定電波を検知する手順と、通常は電力供給しない予備電池から通常処理を実行する主処理部への電力供給を開始して前記主処理部に特定電波の指示内容の実行を起動する手順と、前記主処理部が前記指示内容を実行して必要な情報を前記サーバ装置に返送する手順とをコンピュータに実行させることを特徴とする。
【００２０】
本発明の第３のプログラムは、本発明の第１又は第２のプログラムにおいて、前記指示内容が位置情報取得要求の場合、ＧＰＳ衛星からの電波を受信して自身の位置情報を算出した位置情報を前記サーバ装置に返送する手順をコンピュータに実行させることを特徴とする。
【発明の効果】
【００２１】
本発明によれば、携帯機器に予備電池を搭載し電源オフ状態でも特定の呼び出しに応答して予備電池の電力によりデータを送信するようにしサーバ装置が携帯機器のデータを取得するようにしたので、ユーザは携帯機器を紛失した後でも携帯機器に保持されているデータを取得することができるという効果がある。特に、携帯電話が電源オフの状態であっても、主電池が電力を消費して電力供給ができない状態であっても確実にデータを取得できるようにした。
【発明を実施するための最良の形態】
【００２２】
次に、本発明を実施するための最良の形態について図面を参照して詳細に説明する。図１は本発明のデータ取得システムの構成を示した図である。本発明のデータ取得システムは、携帯電話機１０と、携帯電話機１０のデータ取得サービスを実行するサーバ装置２０と、インターネット４０を介してサーバ装置２０にデータ取得サービスを要求するユーザ端末３０とを含む。また、サーバ装置２０と携帯電話機１０との間の通信を広範囲で実現するために両者間の通信を中継する中継局２９と、携帯電話１０に位置情報を与えるＧＰＳ衛星５０が含まれる。ＧＰＳ衛星５０は全地球測位システム（global positioning system）を実現するための位置情報を提供する人工衛星である。
【００２３】
携帯電話機１０は、電話帳の機能のような情報処理機能を有した携帯機器であり、通常供給される電源の主電池１６と、特的の条件下で供給される予備電池１７と、ＧＰＳ衛星５０からの情報を処理して位置情報を算出するＧＰＳ回路１２とデータを保持するデータ記憶部１３とを含み携帯電話機１０の全般の処理を行う主処理部１１と、ＧＰＳ衛星５０の電波を受信し中継局２９との間で無線通信する送受信部１５と、無線局からの予め決められた特定電波を検出するとスイッチ１８を制御して予備電池１７の電源供給をオンする特定電波検知部１４とを有する。主処理部１１は内蔵されるプログラムによって様々な機能を実現する。なお、予備電池１７は、携帯電話機１０自身を呼び出す特定電波を検出した場合のみ主処理部１１に電力が供給され、主電池１６が放電して電力供給不能となっても主処理部１１への電力供給は行われず電力が消費されないようになっている。
【００２４】
特定電波検知部１４は、特定電波に含まれる識別情報を電話番号のように固有に検知するようになっており、それぞれの携帯電話機１０が異なる固有の特定電波を検知するようになっている。特定電波検知部１４はこれらの処理をプログラムを用いて実行するがハードウェア回路だけで実現してもよい。また、特定電波検知部１４と送受信部１５とは主電池１６の電源供給が停止しても予備電池１７の電源供給を受けて特殊電波の検知が可能となっている。また、主電池１６と予備電池１７とは図示しないが充電機能を有しているが、無くてもかまわない。
【００２５】
サーバ装置２０は、データ取得サービスを提供する業者に管理されるＣＰＵや記憶手段を有した情報処理装置であり、携帯電話機１０からのデータ取得サービスの契約をしたユーザを認証するための情報と対象となる携帯電話機１０を呼び出すための情報を含む契約情報を保持するユーザ情報部２２と、地図情報を保持する地図情報部２３と、携帯電話機１０からのデータ取得のサービスを実行するサービス処理部２１とを有する。サービス処理部２１はプログラムで実現され、インターネット４０上にウェブページを開設しユーザ端末３０との間で情報のやりとりをする。
【００２６】
ユーザ端末３０は、パーソナルコンピュータや情報処理機能を有した電話機のようにインターネット４０と接続して情報の交換が可能な情報機器であり、図示しないが入力機能や表示機能を有し、サーバ装置２０がインターネット４０上に開設するウェブページへアクセスして情報の取得や提供ができるものとする。インターネット４０への接続は電話回線とインターネット接続業者が提供する接続装置を介して接続する形態が多く取られるが、図１では説明を簡単にするため直接インターネット４０に接続するものとしている。
【００２７】
次に、本発明を実施するための最良の形態の動作について図面を参照して説明する。図２は本発明の動作を示したフローチャートであり、図３はサーバ装置２０がインターネット４０上に開設するウェブページの一例を示した図である。
【００２８】
まず、ユーザは事前にサービスを提供する業者と契約して、所有する携帯電話機１０を呼び出し可能な識別情報等をユーザの認証情報と合わせた契約情報をサーバ装置２０へ登録する。この契約情報はユーザ情報部２２に登録され保持されるが、ユーザ情報部２２への登録方法については特に限定しない。例えば、ユーザ端末３０や携帯電話機１０からインターネット４０経由で契約とともに登録してもよいし、申込書を受けた業者がサーバ装置２０に接続する端末（図示しない）から登録するようにしてもよい。上記識別情報は例えば携帯電話機１０に与えられた電話番号でもよい。
【００２９】
ユーザがサービスの契約をしている携帯電話機１０を紛失し、携帯電話機１０のデータを取得する場合は、ユーザの自宅にあるパーソナルコンピュータのようなユーザ端末３０からサーバ装置２０が開設する携帯電話機１０のデータ取得サービスのウェブページへアクセスする（Ｓ７１）。ユーザ端末３０はインターネット４０上のウェブページのアクセス機能があれば携帯情報機器でもよい。サーバ装置２０のサービス処理部２１は携帯電話機１０のデータ取得サービスのウェブページをユーザ端末３０に返送する（Ｓ７２）。
【００３０】
ユーザ端末３０は返送されたウェブページを表示する。このウェブページの一例を示す図３を参照すると、この時点ではＩＤやパスワード等のユーザ認証のためのユーザ情報６１と開始するボタン６２の操作が有効となっており、ユーザはユーザ情報を入力して開始するボタン６２を操作する。ユーザ端末３０はユーザの操作によって開始要求をサーバ装置２０へ送る（Ｓ７３）。
【００３１】
サービス処理部２１はユーザ端末３０から送られた情報を受信するとまず受信したユーザ情報をユーザ情報部２２に保持している契約情報のユーザ情報と比べて認証処理し、ＩＤ、パスワード等が正しければ認証を終わり、契約情報に含まれる携帯電話機１０の識別情報に基づいて携帯電話機１０を起動するための特定電波情報を作成して中継局２９へ送信する。各中継局２９は受信した特定電波情報から特定電波送信し対象の携帯電話機１０を起動する（Ｓ７４）。
【００３２】
なお、認証が失敗した場合はその旨をメッセージとしてユーザ端末３０へ返信し表示し（図示せず）、ユーザの再操作を促す。また、携帯電話機１０を呼び出すための特定電波は特に限定しないが、携帯電話機１０が応答可能な予め決められた固有の電波であればよい。この電波は対象の携帯電話機１０の識別情報と指示内容を含む信号で有り、携帯電話機１０の特定電波検知部１４は予め設定された識別情報を有し同じ識別情報の特定電波を検知し指示内容を解読するように設定されている。
【００３３】
対象の携帯電話機１０は送受信部１５で最寄りの中継局２９から特定電波を受けるとこれを特定電波検知部１４に送り、特定電波検知部１４は識別情報により自身への呼び出しかを判定し自身への呼び出しでなければ無応答で何もせず、自身への呼び出しで起動指示であれば予備電池１７を主処理部１１へ供給するようスイッチ１８を制御し、主処理部１１を起動する。従って、携帯電話機１０が電源オフ状態であっても、或いは主電池１６がすでに消費され電力供給ができない状態であっても携帯電話機１０は特定電波を検知して主処理部１１を動作させることができる。
【００３４】
主処理部１１は特定電波検知部１４から起動されるとＧＰＳ回路１２を動作させる。ＧＰＳ回路１２は、ＧＰＳ衛星５０の電波を送受信機１５から取り込んで自身の位置を算出して主処理部１１に返す。主処理部１１は自身の位置情報を送受信部１５から送信する（Ｓ７５）。主処理部１１は位置情報を送信した後電源をオフして呼び電池６からの電力供給を停止する。中継局２９はこの位置情報を受信してサーバ装置２０へ中継する。
【００３５】
サービス処理部２１は中継された携帯電話機１０の位置情報を取得しこれを保持し、“携帯電話より応答がありました”というメッセージを要求元のユーザ端末３０へ返信する（Ｓ７６）。なお、携帯電話機１０から応答がない場合は“携帯電話より応答がありませんでした”というメッセージを返信する。
【００３６】
ユーザ端末３０はサーバ装置２０からの返信を受信すると受信したメッセージを表示する（Ｓ７７）。応答があった場合は図３の位置を表示するボタン６４とデータを取得するボタン６５とデータをＦＡＸへ送るボタン６６とを操作可能となる。ユーザが位置を表示するボタン６４を操作するとユーザ端末３０は位置情報要求をサーバ装置２０へ送信する（Ｓ７８）。
【００３７】
サービス処理部２１は、位置情報要求を受信すると携帯電話機１０から受信した位置情報に基づいて地図情報部２３からをその周辺を示す地図情報を読み出して携帯電話の位置を地図上に表示するよう合成し、合成した地図情報をユーザ端末３０へ返信する（Ｓ７９）。ユーザ端末３０は地図情報を受信するとこれを表示する（Ｓ８０）。ユーザはこの表示によって紛失した携帯電話の位置を知ることができる。
【００３８】
さらに、ユーザがユーザ端末３０でデータを取得するボタン６５を操作すると、ユーザ端末３０はデータ取得要求をサーバ装置２０へ送信する（Ｓ８１）。サービス処理部２１は、データ取得要求を受信すると対象の携帯電話機１０を呼び出しアップロード要求をする特定電波情報を作成して各中継局２９へ送信する（Ｓ８２）。この場合、特定電波情報は各中継局２９へ送信せず起動指示に応答した中継局２９のみに送信してもよいが、携帯電話が移動してその中継局２９の区画から出てしまい携帯電話からの応答がない場合は再度各中継局２９に送信する必要がある。
【００３９】
対象の携帯電話機１０が中継装置２９から自身宛のアップロード要求の特定電波を受信し、特定電波検知部１４が自身宛のアップロード要求であることを検知するとスイッチ１８を制御して予備電池１７の電力を主処理部１１に供給して主処理部１１にアップロード要求の起動をする。主処理部１１はアップロード要求起動されるとデータ記憶部１３からデータを読み出して送受信部１５から送信する（Ｓ８３）。ここで読み出すデータは予め決められた電話帳等の設定のような各種設定データとしてもよいしコンテンツデータを含んでもよいし、図３では示していないが取得するデータをユーザが選択できるようにしてもよく特に限定しない。読み出した携帯電話機１０のデータは中継局２９を介してサーバ装置２０へ送られる。
【００４０】
サーバ装置２０のサービス処理部２１は中継局２９から携帯電話機１０のデータを受信すると要求元のユーザ端末３０へ返信する（Ｓ８４）。ユーザ端末３０はサーバ装置２０から携帯電話機１０のデータを受信するとデータを表示し、ユーザの操作があればこれをユーザ端末３０内の記憶手段へ保存する。
【００４１】
このように、ユーザは携帯電話機１０を紛失した後でもサーバ装置２０にアクセスして紛失した携帯電話機１０を起動して、その位置情報や設定データ等のデータを取得することができる。位置情報を知ることによって紛失した携帯電話機１０を取り戻したり、電話帳のような情報を取得することにより他の電話機を利用して必要なしたりすることができるようになる。
【００４２】
また、ステップＳ８０の後にユーザがデータをＦＡＸへ送信するボタン６６を操作した場合は、ステップＳ８０、Ｓ８３と同様にしてサーバ装置２０は対象の携帯電話機１０からデータを取得し、要求元のユーザ端末３０へ返信する代わりに、ユーザにより入力された電話番号のファクシミリ装置へ取得したデータを送信する。従って、ユーザは外出先であっても外出先に設置された情報機器をユーザ端末３０として操作し、外出先の事務所やその近くのコンビニエンスストア等に設置されたファクシミリ装置にデータを転送して紛失した携帯電話機１０のデータを取得することができる。
【００４３】
以上の説明では、サーバ装置２０と携帯電話機１０との間の通信は中継局２９を介して行っているが、特定の範囲でのサービスで中継局２９を介さなくとも携帯電話機１０とサーバ装置２０との通信が可能であれば、中継局２９を省略することもできる。また、携帯電話機１０の代わりにＰＤＡ（personal digital assistant）のような携帯機器でも特定電波に対応できる構成を有していれば本発明を適用することができるのは明らかである。
【図面の簡単な説明】
【００４４】
【図１】本発明のデータ取得システムの構成を示したブロック図である。
【図２】本発明のデータ取得システムの動作を示したフローチャートである。
【図３】本発明のサービスを提供するウェブページの一例である。
【符号の説明】
【００４５】
１０    携帯電話機
１１    主処理部
１２    ＧＰＳ回路
１３    データ記憶部
１４    特定電波検知部
１５    送受信部
１６    主電池
１７    予備電池
１８    スイッチ
２０    サーバ装置
２１    サービス処理部
２２    ユーザ情報部
２３    地図情報部
２９    中継局
３０    ユーザ端末
４０    インターネット
５０    ＧＰＳ衛星
【図１】
2005086647.tif 000003
【図２】
2005086647.tif 000004
【図３】
2005086647.tif 000005